(57)【要約】  発電機・蒸気タービン・ターボ圧縮機ラインは、周波数変化可能な発電機と蒸気タービンと該発電機及び／又は蒸気タービンによって駆動可能なターボ圧縮機とを有しており、発電機と蒸気タービンとターボ圧縮機とは互いに連結されて１つの軸系を形成しており、発電機は、回路網への給電のために電気回路網に電気的に連結可能であり、蒸気タービンは、該蒸気タービンへの新鮮蒸気の供給のために新鮮蒸気供給装置に接続可能であり、これにより発電機・蒸気タービン・ターボ圧縮機ラインは、回路網給電の変化によって及び／又は新鮮蒸気供給によって、回転数調整可能である。
2010540829.tif 000002
【特許請求の範囲】
【請求項１】
周波数変化可能な発電機（２）と蒸気タービン（３）と該発電機（２）及び／又は蒸気タービン（３）によって駆動可能なターボ圧縮機（４）とを備えた、発電機・蒸気タービン・ターボ圧縮機ライン（１）であって、発電機（２）と蒸気タービン（３）とターボ圧縮機（４）とが互いに連結されて１つの軸系（５）を形成しており、発電機（２）が、回路網への給電のために電気回路網（６）に電気的に連結可能であり、蒸気タービン（３）が、該蒸気タービン（３）への新鮮蒸気の供給のために新鮮蒸気供給装置（７）に接続可能であり、これにより発電機・蒸気タービン・ターボ圧縮機ライン（１）が、回路網給電の変化によって及び／又は新鮮蒸気供給によって、回転数調整可能であることを特徴とする、発電機・蒸気タービン・ターボ圧縮機ライン。
【請求項２】
蒸気タービン（３）が、新鮮蒸気供給装置（７）から蒸気タービン（３）への新鮮蒸気の供給のために新鮮蒸気弁（８）を有しており、該新鮮蒸気弁（８）によって新鮮蒸気供給が調整可能であり、これにより発電機・蒸気タービン・ターボ圧縮機ライン（１）が新鮮蒸気弁（８）を用いて回転数調整可能である、請求項１記載の発電機・蒸気タービン・ターボ圧縮機ライン。
【請求項３】
発電機・蒸気タービン・ターボ圧縮機ライン（１）が周波数変換器（９）を有していて、該周波数変換器（９）を用いて発電機（２）が回路網への給電のために電気回路網（６）に電気的に連結可能であり、かつ発電機（２）の出力が調整可能であり、その結果発電機・蒸気タービン・ターボ圧縮機ライン（１）が周波数変換器（９）を用いて回転数調整可能である、請求項１又は２記載の発電機・蒸気タービン・ターボ圧縮機ライン。
【請求項４】
発電機（２）が発電機運転と駆動モータ運転とにおいて運転可能である、請求項１から３までのいずれか１項記載の発電機・蒸気タービン・ターボ圧縮機ライン。
【請求項５】
発電機（２）が高回転する発電機である、請求項１から４までのいずれか１項記載の発電機・蒸気タービン・ターボ圧縮機ライン。
【請求項６】
請求項１から５までのいずれか１項記載の発電機・蒸気タービン・ターボ圧縮機ライン（１）を運転する方法であって、下記のステップ、すなわち、
発電機・蒸気タービン・ターボ圧縮機ライン（１）を準備し、
発電機（２）の回路網への給電の変化及び／又は蒸気タービン（３）への新鮮蒸気の供給の変化を、発電機・蒸気タービン・ターボ圧縮機ライン（１）の回転数調整のために行う、というステップを有することを特徴とする、発電機・蒸気タービン・ターボ圧縮機ラインを運転する方法。
【請求項７】
新鮮蒸気弁（８）を備えた蒸気タービン（３）を準備し、
発電機・蒸気タービン・ターボ圧縮機ライン（１）の回転数調整のために新鮮蒸気弁（８）の調節位置を変化させ、
通常運転時に、完全に開放制御された新鮮蒸気弁（８）によって蒸気タービン（３）を運転する、というステップを有する、請求項６記載の方法。
【請求項８】
周波数変換器（９）を備えた発電機・蒸気タービン・ターボ圧縮機ライン（１）を準備し、
発電機・蒸気タービン・ターボ圧縮機ライン（１）の回転数調整のために周波数変換器（９）によって発電機（２）の出力を変化させる、というステップを有する、請求項６又は７記載の方法。
【請求項９】
発電機運転と駆動モータ運転とにおいて運転可能な発電機（２）を準備し、
始動運転時に、発電機（２）を駆動モータ運転で運転する、というステップを有する、請求項６から８までのいずれか１項記載の方法。
【発明の詳細な説明】
【技術分野】
【０００１】
本発明は、発電機と蒸気タービンとターボ圧縮機とから成る発電機・蒸気タービン・ターボ圧縮機ライン、並びにこの発電機・蒸気タービン・ターボ圧縮機ラインを運転する方法に関する。
【０００２】
ターボ圧縮機は例えば化学工場の設備において使用される。このような設備においては通常、熱エネルギがプロセス蒸気として提供される。プロセス蒸気はプロセス蒸気系において準備され、このプロセス蒸気系からプロセス蒸気は、蒸気タービンを駆動するために取り出すことができる。蒸気タービンは通常、ターボ圧縮機を駆動するために働く。
【０００３】
通常、ターボ圧縮機は、ターボ圧縮機の種々異なった回転数に伴って生じ得る種々異なった運転状態において運転される。ターボ圧縮機の回転数は通常、ターボ圧縮機によって受容される駆動出力に影響を与え、この場合プロセス蒸気系によって準備された熱出力は、通常、ターボ圧縮機の運転のために必要な出力よりも大きい。この出力過剰は、ターボ圧縮機の出力消費の低下に伴って増大する。
【０００４】
通常、このような出力過剰は使用されないか又は、設備内に付加的に設けられた、蒸気タービンと発電機とから成る蒸気タービンセットにおいて流れる。
【０００５】
図２には、発電機１０１と蒸気タービン１０２とを有する蒸気タービンセットが示されている。蒸気タービン１０２は発電機１０１を、第１の連結体１０４を介して駆動する。蒸気タービン１０２を駆動するために、新鮮蒸気管路１０６から蒸気タービン１０２に新鮮蒸気が供給される。発電機１０１によって生ぜしめられた電気出力は、電源網１０７に送られる。
【０００６】
さらに新鮮蒸気管路１０６の蒸気によって、別の蒸気タービン１０８が駆動され、この蒸気タービン１０８自体は、連結体１０５を介してターボ圧縮機１０３を駆動するためにこのターボ圧縮機１０３と連結されている。ターボ圧縮機１０３の回転数は、回転数フィードバック装置１０９を用いて調整され、この回転数フィードバック装置１０９は新鮮蒸気弁１０８ａを制御する。これによって回転数フィードバック装置１０９を用いたターボ圧縮機１０３のための予め設定された回転数の基準値の下で、新鮮蒸気弁１０８ａは制御され、新鮮蒸気管路１０６から蒸気タービン１０８に供給される蒸気量は、ターボ圧縮機１０３が所定の回転数に調整されるように調節されている。
【０００７】
調整技術及びプロセス技術上の理由から、蒸気タービン１０８はターボ圧縮機１０３を駆動するために過剰寸法で設計されている。蒸気タービン１０８は、新鮮蒸気管路１０６の最小パラメータ時に、ターボ圧縮機１０３の最大に必要な駆動出力を準備しなくてはならない。さらに蒸気タービン１０８は、新鮮蒸気パラメータが減じられた場合においても、ターボ圧縮機１０３の始動を可能にしなくてはならない。従って定格出力において蒸気タービン１０８は、最大蒸気流量の約７０％でしか負荷されない。その結果蒸気タービン１０８は、大部分の運転時間において新鮮蒸気弁１０８ａによって絞られて運転されることになる。これによって蒸気タービン１０８の効率は、その最大効率のはるか下に位置することになる。
【０００８】
蒸気タービン１０２及び発電機１０１を用いて、新鮮蒸気管路１０６内において利用できる過剰の新鮮蒸気が流される。しかしながら設備に蒸気タービン１０２及び発電機１０１を付加的に設けることは、手間が掛かりかつコストの無駄である。
【０００９】
図３には発電機１０１と蒸気タービン１０２とターボ圧縮機１０３とを有する汎用のラインが示されている。蒸気タービン１０２には、新鮮蒸気が新鮮蒸気管路１０６から供給され、蒸気タービン１０２は連結体１０４を用いて発電機１０１と駆動連結され、連結体１０５を用いてターボ圧縮機１０３と駆動連結されている。
【００１０】
発電機１０１において生じた電気出力は、電気回路網１０７に送られる。ターボ圧縮機１０３は一定の回転数で運転される。
【００１１】
蒸気タービン１０２は、既に述べた理由から、定格出力及び部分負荷で絞られて運転されるので、蒸気タービン１０２の効率は同様にその最適効率を下回っている。さらに、ターボ圧縮機１０３の回転数を調整することも不可能であり、これによって、プロセス全体の効率に損失が生じる。
【００１２】
ゆえに本発明の課題は、高い効率と良好な調整可能性とを有しかつ僅かな設備コストしか必要としない、発電機・蒸気タービン・ターボ圧縮機ライン並びにこの発電機・蒸気タービン・ターボ圧縮機ラインを運転する方法を提供することである。
【００１３】
この課題を解決するために本発明の構成では、周波数変化可能な発電機と蒸気タービンと該発電機及び／又は蒸気タービンによって駆動可能なターボ圧縮機とを備えた、発電機・蒸気タービン・ターボ圧縮機ラインにおいて、発電機と蒸気タービンとターボ圧縮機とが互いに連結されて１つの軸系を形成しており、発電機が、回路網への給電のために電気回路網に電気的に連結可能であり、蒸気タービンが、該蒸気タービンへの新鮮蒸気の供給のために新鮮蒸気供給管路に接続可能であり、これにより発電機・蒸気タービン・ターボ圧縮機ラインが、回路網への給電の変化によって及び／又は新鮮蒸気の供給によって、回転数調整可能であるようにした。
【００１４】
前記課題を解決するために、発電機・蒸気タービン・ターボ圧縮機ラインを運転する本発明の方法では、発電機・蒸気タービン・ターボ圧縮機ラインを準備し、発電機の回路網への給電の変化及び／又は蒸気タービンへの新鮮蒸気の供給の変化を、発電機・蒸気タービン・ターボ圧縮機ラインの回転数調整のために行う、というステップを有するようにした。
【００１５】
発電機・蒸気タービン・ターボ圧縮機ラインにおいて、ターボ圧縮機は蒸気タービンによって運転可能であり、この場合発電機・蒸気タービン・ターボ圧縮機ラインのために準備されたプロセスエネルギは完全に変換される。蒸気タービンが発電機を駆動することによって、付加的な発電機駆動装置を設ける必要がないので、発電機・蒸気タービン・ターボ圧縮機ラインのための投資コストは僅かになる。
【００１６】
発電機・蒸気タービン・ターボ圧縮機ラインにおける蒸気タービンは、完全に開放制御された蒸気調整弁によって運転可能である。そしてこれによって、蒸気タービンの高い効率が得られ、その結果プロセスエネルギの発生量は高くなる。
【００１７】
さらに、発電機・蒸気タービン・ターボ圧縮機ラインにおけるターボ圧縮機の出力を、可変の回転数によって調整できるようにすることも可能であり、このような構成によって、ターボ圧縮機の出力調整が効果的になる。
【００１８】
ターボ圧縮機の始動時に、発電機をモータとして運転することが可能であり、このようにすると、ターボ圧縮機の始動時に発電機によって付加的な駆動出力が準備される。これによって、ターボ圧縮機の高い出力需要時において場合によっては存在する低い蒸気パラメータ時にも、ターボ圧縮機の始動を実現できるように、蒸気タービンを設計する必要がなくなる。そしてその結果蒸気タービンは安価に構成することができ、ひいては蒸気タービンのための投資コストは僅かになる。さらに蒸気タービンは通常運転においてまったく又は僅かしか絞られずに運転されることができるので、蒸気タービンの効率も高まる。
【００１９】
本発明の有利な構成では、蒸気タービンが、新鮮蒸気供給装置から蒸気タービンへの新鮮蒸気の供給のために新鮮蒸気弁を有しており、該新鮮蒸気弁によって新鮮蒸気供給が調整可能であり、これにより発電機・蒸気タービン・ターボ圧縮機ラインが新鮮蒸気弁を用いて回転数調整可能である。
【００２０】
これによって、蒸気タービンへのエネルギ供給が、相応な弁位置を有する新鮮蒸気弁によって調整できるようになる。その結果蒸気タービンの出力、ひいては蒸気タービンの回転数を簡単に調整することができる。
【００２１】
さらに、別の有利な構成では、発電機・蒸気タービン・ターボ圧縮機ラインが周波数変換器を有していて、該周波数変換器を用いて発電機が回路網への給電のために電気回路網に電気的に連結可能であり、かつ発電機の出力が調整可能であり、その結果発電機・蒸気タービン・ターボ圧縮機ラインが周波数変換器を用いて回転数調整可能である。
【００２２】
周波数変換器を用いて、回路網への給電時における発電機の出力が変化可能であり、その結果発電機の出力需要をターボ圧縮機の出力需要に合わせることができる。これによって蒸気タービンの駆動出力を所定することができ、ひいては新鮮蒸気供給装置の出力供給に合わせることができる。これにより、新鮮蒸気供給装置の完全な蒸気供給を蒸気タービンにおいて弛緩もしくは膨張させることができ、ターボ圧縮機は所望の運転状態において運転可能となる。
【００２３】
発電機が発電機運転と駆動モータ運転とにおいて運転可能であると、有利である。
【００２４】
発電機が駆動モータ運転で運転される場合には、発電機によって付加的な駆動出力が準備される。この付加的な駆動出力は、例えばターボ圧縮機の始動時において、例えば新鮮蒸気供給装置の蒸気供給がターボ圧縮機の始動のために少なすぎる場合に、必要である。これによって、蒸気タービンの駆動出力がそれだけでは不十分な場合でも、ターボ圧縮機を始動させることが可能になる。駆動モータ運転時には、発電機は電源網から出力を得る。
【００２５】
発電機が高回転する発電機であると、有利である。
【００２６】
発電機・蒸気タービン・ターボ圧縮機ラインを運転する方法では、下記のステップ、すなわち、新鮮蒸気弁を備えた蒸気タービンを準備し、発電機・蒸気タービン・ターボ圧縮機ラインの回転数調整のために新鮮蒸気弁の調節位置を変化させ、通常運転時に、完全に開放制御された新鮮蒸気弁によって蒸気タービンを運転する、というステップを有していると、有利である。
【００２７】
このようにすると、通常運転時に蒸気タービンは、部分負荷時ではなく定格負荷時に運転されるので、蒸気タービンの効率は高くなる。
【００２８】
さらに、発電機・蒸気タービン・ターボ圧縮機ラインを運転する有利な方法では、周波数変換器を備えた発電機・蒸気タービン・ターボ圧縮機ラインを準備し、発電機・蒸気タービン・ターボ圧縮機ラインの回転数調整のために周波数変換器によって発電機の出力を変化させる、というステップを有している。
【００２９】
さらにまた、発電機・蒸気タービン・ターボ圧縮機ラインを運転する別の有利な方法では、発電機運転と駆動モータ運転とにおいて運転可能な発電機を準備し、始動運転時に、発電機を駆動モータ運転で運転する、というステップを有している。
【００３０】
次に図面を参照しながら本発明による発電機・蒸気タービン・ターボ圧縮機ラインの有利な実施例を説明する。
【図面の簡単な説明】
【００３１】
【図１】本発明による発電機・蒸気タービン・ターボ圧縮機ラインを概略的に示す図である。
【図２】従来技術による蒸気タービン・ターボ圧縮機ラインと蒸気タービン・発電機ラインとを概略的に示す図である。
【図３】従来技術による発電機・蒸気タービン・ターボ圧縮機ラインを概略的に示す図である。
【００３２】
図１に示されているように、発電機・蒸気タービン・ターボ圧縮機ライン１は、発電機２と蒸気タービン３とターボ圧縮機４とを有しており、これらは１つの軸系５を形成している。蒸気タービン３は発電機２を駆動するためにこの発電機２と第１の連結体５ａを用いて連結され、かつターボ圧縮機４を駆動するために第２の連結体５ｂを用いて連結されている。蒸気タービン３は、新鮮蒸気供給装置７からの蒸気によって運転され、この場合蒸気タービン３への蒸気流は、新鮮蒸気弁８によって調整可能である。新鮮蒸気弁８は回転数フィードバック装置１０を用いて、軸系５の回転数が供給されるように該軸系５と連結されている。回転数フィードバック装置１０を用いて新鮮蒸気弁８は、軸系５が回転数調整されるように制御可能である。
【００３３】
発電機２は周波数変換器９を介して、電気回路網６と回路網への給電のために連結されている。周波数変換器９は回転数フィードバック装置１１を用いて軸系５の回転数が供給されるように該軸系５と連結されている。
【００３４】
蒸気タービン３は新鮮蒸気弁８と回転数フィードバック装置１０とを用いて、ターボ圧縮機４が回転数調整されて駆動されるようになっている。さらに蒸気タービン３は発電機２を駆動するために１つの軸系５において発電機２と組み合わせられている。発電機２及び周波数変換器９は、ターボ圧縮機４の始動時における臨界条件が付加的な補助エネルギを必要とした場合に、電動機によって駆動されることもできる。蒸気タービン３は通常運転時には、完全に開放制御された新鮮蒸気弁８によって運転されるので、蒸気タービン３は定格出力で高効率に運転されることができる。
【００３５】
蒸気タービン３の定格出力時における過剰出力は、発電機２において電気出力を生ぜしめるために利用される。
【００３６】
周波数変換器９を用いて、発電機２によって、回路網６の各回路網周波数を備えた三相交流が生ぜしめられ、この交流は回路網６に供給されることができる。必要とあれば発電機２は電動機運転によって、ターボ圧縮機４を始動するための機械的な出力を付加的に準備することができる。軸系５の回転数調整は、回路網給電出力の適合によって又は、発電機２の一定出力時には蒸気タービン３の新鮮蒸気弁８を介して行われる。発電機２の出力調整は周波数変換器９において行われる。
【図１】
2010540829.tif 000003
【図２】
2010540829.tif 000004
【図３】
2010540829.tif 000005
【国際調査報告】
2010540829.tif 000006
2010540829.tif 000007
2010540829.tif 000008
2010540829.tif 000009